(57)【要約】【課題】消費電力が契約電力を超えることがなく、且つ、簡単な構成で凍結を防止することが可能な複数のポンプ装置を備える給水装置及び給水装置の運転方法を提供すること。【解決手段】給水装置１は、複数のポンプ装置１０と、温度検出手段１５と、消費電力検出手段３２と、圧力検出手段１４と、流量検出手段１６と、氷点以上の温度であって、ポンプ装置１０の駆動を開始する第１閾値、第１閾値よりも高い温度で且つ第１閾値に基づき開始したポンプ装置１０の駆動を停止する第２閾値及び総消費電力の許容値を記憶する記憶部３５と、吐出圧力及び吐出流量に基づいてポンプ装置１０を制御可能であり、且つ、温度が第１閾値以下となった場合に凍結防止運転として、停止しているポンプ装置１０を、許容値以下の範囲で駆動するとともに、温度が第２閾値以上となったときに、駆動しているポンプ装置１０を停止する制御部３４と、を備える。【選択図】      図１
2020008000.tif 000002
【特許請求の範囲】
【請求項１】
ポンプ及び前記ポンプを駆動するモータを有する複数のポンプ装置と、
前記ポンプ内の水の温度を直接的または間接的に検出する温度検出手段と、
総消費電力を検出する消費電力検出手段と、
前記複数のポンプ装置の二次側に設けられ、前記複数のポンプ装置の吐出圧力を検出する圧力検出手段と、
前記複数のポンプ装置の二次側に設けられ、前記複数のポンプ装置の吐出流量を検出する流量検出手段と、
氷点以上の温度であって、前記ポンプ装置の駆動を開始する第１閾値、前記第１閾値よりも高い温度であって、且つ、前記第１閾値に基づいて開始した前記ポンプ装置の駆動を停止する第２閾値、及び、前記総消費電力の許容値を記憶する記憶部と、
前記吐出圧力及び前記吐出流量に基づいて前記ポンプ装置を制御可能であり、且つ、前記温度検出手段で検出された温度が前記第１閾値以下となった場合に、凍結防止運転として、停止している前記ポンプ装置を、前記消費電力検出手段で検出される前記総消費電力が前記許容値以下の範囲で駆動するとともに、前記温度検出手段で検出された温度が前記第２閾値以上となったときに、駆動している前記ポンプ装置を停止する制御部と、
を備える給水装置。
【請求項２】
前記制御部は、前記温度検出手段で検出された温度が前記第１閾値以下となったときに、前記ポンプ装置を一定の周波数で駆動する、請求項１に記載の給水装置。
【請求項３】
前記制御部は、前記温度検出手段で検出された温度が前記第１閾値以下となったときに、前記ポンプ装置を前記一定の周波数で駆動したときに前記消費電力検出手段で検出された前記総消費電力が前記許容値を超える場合には、前記ポンプ装置を前記一定の周波数よりも低い周波数で駆動する、請求項２に記載の給水装置。
【請求項４】
前記制御部は、前記吐出圧力及び前記吐出流量に基づいて前記ポンプ装置を駆動しているときに、前記温度検出手段で検出された温度が前記第１閾値以下となった場合に、停止している前記ポンプ装置を前記凍結防止運転によって駆動するとともに、前記温度検出手段で検出された温度が前記第２閾値以上となったときに、前記吐出圧力及び前記吐出流量に基づいて駆動していた前記ポンプ装置を停止し、前記凍結防止運転によって駆動した前記ポンプ装置を前記吐出圧力及び前記吐出流量に基づいて駆動する、請求項１乃至請求項３のいずれか一項に記載の給水装置。
【請求項５】
前記第１閾値は、水源の水の温度よりも低い温度である請求項１に記載の給水装置。
【請求項６】
前記温度検出手段は、前記複数のポンプ装置にそれぞれ１つ設けられる請求項１に記載の給水装置。
【請求項７】
前記温度検出手段は、前記複数のポンプ装置の二次側にそれぞれ接続される複数の吐出管にそれぞれ１つ設けられる請求項１に記載の給水装置。
【請求項８】
前記温度検出手段は、前記ポンプまたは前記吐出管に設けられるサーミスタである請求項７に記載の給水装置。
【請求項９】
ポンプ及び前記ポンプを駆動するモータを有する複数のポンプ装置、前記ポンプ内の水の温度を直接的または間接的に検出する温度検出手段、総消費電力を検出する消費電力検出手段、前記複数のポンプ装置の二次側に設けられ、前記複数のポンプ装置の吐出圧力を検出する圧力検出手段、前記複数のポンプ装置の二次側に設けられ、前記複数のポンプ装置の吐出流量を検出する流量検出手段、及び、氷点以上の温度であって、前記ポンプ装置の駆動を開始する第１閾値、前記第１閾値よりも高い温度であって、且つ、前記第１閾値に基づいて開始した前記ポンプ装置の駆動を停止する第２閾値、及び、前記総消費電力の許容値を記憶する記憶部を備える給水装置において、
前記吐出圧力及び前記吐出流量に基づいて前記ポンプ装置を制御可能であり、且つ、前記温度検出手段で検出された温度が前記第１閾値以下となった場合に、凍結防止運転として、停止している前記ポンプ装置を、前記消費電力検出手段で検出される前記総消費電力が前記許容値以下の範囲で駆動し、前記温度検出手段で検出された温度が前記第２閾値以上となったときに、駆動している前記ポンプ装置を停止する前記給水装置の運転方法。
【発明の詳細な説明】
【技術分野】
【０００１】
本発明は、複数のポンプ装置を備える給水装置及び給水装置の運転方法に関する。
【背景技術】
【０００２】
従来から冬に気温が氷点下に下がることが予想される場合に、ポンプ装置の運転を継続し、水を吐出し続けることで、配管内の水の凍結を防止する技術が知られている。また、吐出側が締め切られている場合には、締切運転を行い、ポンプ装置の温度を上昇させることで、水の凍結を防止する技術が知られている（例えば、特許文献１参照）。また、別の方法として、配管にヒータを設置することにより配管内の水が凍結することを防止する技術も知られている。
【先行技術文献】
【特許文献】
【０００３】
【特許文献１】特開平１０-１６９５６８号公報
【発明の概要】
【発明が解決しようとする課題】
【０００４】
しかしながら、給水装置が設置される工場等では、使用できる電力が予め契約により定められていることがある。この場合、給水装置は、契約電力を超えて運転をすることはできない。しかし、複数のポンプ装置を有する給水装置において、上述のポンプ装置を駆動することで凍結を防止する技術を適用すると、駆動するポンプ装置の数、または、モータの周波数によっては、給水装置の消費電力が契約電力を超える虞がある。
【０００５】
また、上述のヒータを設置することで凍結を防止する技術を適用した場合も、消費電力がヒータ分上昇し、また、ヒータの増加は、給水装置のコストの上昇を招く。
【０００６】
そこで、本発明は、消費電力が契約電力を超えることがなく、且つ、簡単な構成で凍結を防止することが可能な給水装置を提供することを目的とする。
【課題を解決するための手段】
【０００７】
前記課題を解決し目的を達成するために、本発明の給水装置は次のように構成されている。
【０００８】
本発明の一態様として、給水装置は、ポンプ及び前記ポンプを駆動するモータを有する複数のポンプ装置と、前記ポンプ内の水の温度を直接的または間接的に検出する温度検出手段と、総消費電力を検出する消費電力検出手段と、前記複数のポンプ装置の二次側に設けられ、前記複数のポンプ装置の吐出圧力を検出する圧力検出手段と、前記複数のポンプ装置の二次側に設けられ、前記複数のポンプ装置の吐出流量を検出する流量検出手段と、氷点以上の温度であって、前記ポンプ装置の駆動を開始する第１閾値、前記第１閾値よりも高い温度であって、且つ、前記第１閾値に基づいて開始した前記ポンプ装置の駆動を停止する第２閾値、及び、前記総消費電力の許容値を記憶する記憶部と、前記吐出圧力及び前記吐出流量に基づいて前記ポンプ装置を制御可能であり、且つ、前記温度検出手段で検出された温度が前記第１閾値以下となった場合に、凍結防止運転として、停止している前記ポンプ装置を、前記消費電力検出手段で検出される前記総消費電力が前記許容値以下の範囲で駆動するとともに、前記温度検出手段で検出された温度が前記第２閾値以上となったときに、駆動している前記ポンプ装置を停止する制御部と、を備える。
【０００９】
また、本発明の一態様として、給水装置の運転方法は、ポンプ及び前記ポンプを駆動するモータを有する複数のポンプ装置、前記ポンプ内の水の温度を直接的または間接的に検出する温度検出手段、総消費電力を検出する消費電力検出手段、前記複数のポンプ装置の二次側に設けられ、前記複数のポンプ装置の吐出圧力を検出する圧力検出手段、前記複数のポンプ装置の二次側に設けられ、前記複数のポンプ装置の吐出流量を検出する流量検出手段、及び、氷点以上の温度であって、前記ポンプ装置の駆動を開始する第１閾値、前記第１閾値よりも高い温度であって、且つ、前記第１閾値に基づいて開始した前記ポンプ装置の駆動を停止する第２閾値、及び、前記総消費電力の許容値を記憶する記憶部を備える給水装置において、前記吐出圧力及び前記吐出流量に基づいて前記ポンプ装置を制御可能であり、且つ、前記温度検出手段で検出された温度が前記第１閾値以下となった場合に、凍結防止運転として、停止している前記ポンプ装置を、前記消費電力検出手段で検出される前記総消費電力が前記許容値以下の範囲で駆動し、前記温度検出手段で検出された温度が前記第２閾値以上となったときに、駆動している前記ポンプ装置を停止する。
【発明の効果】
【００１０】
本発明によれば、消費電力が契約電力を超えることがなく、且つ、簡単な構成で凍結を防止することが可能な給水装置を提供することが可能となる。
【図面の簡単な説明】
【００１１】
【図１】本発明の一実施形態に係る給水装置の構成を示す正面図。
【図２】同給水装置の構成を示す側面図。
【図３】同給水装置の構成を示すブロック図。
【図４】同給水装置の制御の一例を示す流れ図。
【発明を実施するための形態】
【００１２】
以下、本発明の一実施形態に係る給水装置１を、図１乃至図４を用いて説明する。  
図１は、本発明の一実施形態に係る給水装置１の構成を示す正面図である。図２は、給水装置１の構成を示す側面図である。図３は、給水装置１の構成を示すブロック図である。図４は、給水装置１の制御の一例を示す流れ図である。
【００１３】
図１及び図２に示すように、給水装置１は、複数のポンプ装置１０と、複数のポンプ装置１０の二次側にそれぞれ設けられる吐出管１１と、吐出管１１の二次側に設けられ、複数の吐出管１１を合流させる合流管１２と、合流管１２に設けられた蓄圧装置１３と、合流管１２に設けられた圧力検出手段１４と、温度検出手段１５と、流量検出手段１６を備えている。
【００１４】
また、給水装置１は、複数のポンプ装置１０が設置されるベース１７と、ベース１７に設けられたフレーム１８と、フレーム１８に固定された制御盤１９と、を備えている。
【００１５】
複数のポンプ装置１０は、ベース１７に設置される。複数のポンプ装置１０は、吐出管１１の一次側に設けられる。  
ポンプ装置１０は、モータ２１と、ポンプ２２と、を備えている。ポンプ装置１０は、例えば、回転軸が設置面に沿って延設された遠心ポンプである。ポンプ装置１０の一次側は、吸込管を介して給水装置１の一次側に設けられた水道配管、井戸または受水槽等と接続される。
【００１６】
モータ２１は、回転軸を介してポンプ２２と接続される。モータ２１は、制御盤１９に電気的に接続される。ポンプ２２は、モータ２１により駆動される。ポンプ２２は、単段または多段のポンプである。ポンプ２２は、一次側が給水管を介して水源の配管に接続され、二次側が吐出管１１に接続される。ポンプ２２は、水源からの水を二次側へ圧送する。例えば、水源とは、井戸である。
【００１７】
吐出管１１は、ポンプ２２内の一次側から送られた水を二次側の合流管１２へ案内する配管である。吐出管１１は、ポンプ２２の吐出口に一端が接続され、他端が合流管１２に接続される。
【００１８】
合流管１２は、各吐出管１１の二次側に接続され、これらの吐出管１１を合流する。合流管１２は、複数のポンプ２２の二次側において各吐出管１１から吐出された水を一つの流れに合流させる配管である。合流管１２は、一次側が吐出管１１に接続され、二次側が配管等を介して建造物の蛇口や取水口等の給水先に接続される。
【００１９】
蓄圧装置１３は、合流管１２に設けられる。蓄圧装置１３は、例えば、アキュムレータである。
【００２０】
図１乃至図３に示すように、圧力検出手段１４は、合流管１２に設けられ、合流管１２内の吐出圧力を検出可能に構成される。圧力検出手段１４は、信号線等を介して制御盤１９に電気的に接続され、検出した情報を信号に変換し、制御盤１９に送信する。
【００２１】
図１乃至図３に示すように、温度検出手段１５は、ポンプ２２内の水の温度を直接的、または、間接的に検出可能に構成される。ここで、ポンプ２２内の水の温度を直接的に検出するとは、例えば、ポンプ２２内の水の温度を、直接検出することであり、ポンプ２２内の水の温度を間接的に検出するとは、検出した温度からポンプ２２内の水の温度を推定可能なように、ポンプ２２内の水の温度以外の温度を検出することである。本実施形態においては、温度検出手段１５は、ポンプ２２内の水の温度以外の温度を検出可能とし、この温度検出手段１５に基づいて、制御盤１９がポンプ２２内の水の温度を推定する構成を説明する。
【００２２】
本実施形態の温度検出手段１５は、図１に示すように、制御盤１９に設けられた第１温度検出手段１５ａと、複数のポンプ装置１０のそれぞれのポンプ２２外面に設けられた複数の第２温度検出手段１５ｂと、を備える。これら第１温度検出手段１５ａ及び第２温度検出手段１５ｂは、温度センサであるサーミスタを用いることができる。これらの温度検出手段１５ａ、１５ｂは、信号線等を介して制御盤１９に電気的に接続され、検出した情報を信号に変換し、制御盤１９に収容されている制御部に送信する。
【００２３】
第１温度検出手段１５ａは、制御盤１９内の温度を検出する。また、第２温度検出手段１５ｂは、ポンプ２２の外表面の温度を検出する。
【００２４】
ベース１７は、複数のポンプ装置１０及びフレーム１８を支持する。ベース１７は、例えば、給水装置１が設置される場所の床面に設置される。フレーム１８は、ベース１７に固定され、ベース１７から離間した位置で制御盤１９を支持する。
【００２５】
流量検出手段１６は、複数のポンプ装置１０の二次側にそれぞれ設けられる。流量検出手段１６は、例えば羽根車式の流量検出器であり、それぞれのポンプ装置１０の吐出流量を検出可能に構成される。流量検出手段１６は、信号線等を介して制御盤１９に電気的に接続され、検出した情報を信号に変換し、制御盤１９に送信する。
【００２６】
図１乃至図３に示すように、制御盤１９は、表示部３１と、消費電力検出手段３２と、インバータ３３と、制御部３４と、記憶部３５と、を備えている。制御盤１９は、筐体内に、これらの電装部品を収容可能に形成されている。制御盤１９は、フレーム１８に固定される。
【００２７】
表示部３１は、各ポンプ装置１０の運転状況、給水装置１の総消費電力、給水装置１の異常の有無等を表示可能に構成される。表示部３１は、例えば、ディスプレイ及び各部の状況等を報知するＬＥＤ等である。表示部３１は、信号線を介して制御部３４に電気的に接続される。
【００２８】
消費電力検出手段３２は、給水装置１にかかる総消費電力を検出可能に構成される。例えば、給水装置１に係る総消費電力とは、ポンプ装置１０の停止時の待機電力、ポンプ装置１０の駆動時の消費電力、表示部３１の消費電力、及び、各電装品の消費電力である。消費電力検出手段３２は、信号線を介して制御部３４に電気的に接続され、検出した総消費電力の情報を制御部３４に送信する。
【００２９】
インバータ３３は、モータ２１の周波数を可変可能に構成される。インバータ３３は、信号線を介して制御部３４に電気的に接続される。このようなインバータ３３は、モータ２１と同数設けられる。
【００３０】
記憶部３５は、第１閾値Ｔ１、第２閾値Ｔ２、及び、給水装置１の総消費電力の許容値、圧力及び流量に基づいて給水を行うときのポンプ装置１０を起動する起動圧力、目標圧力及び定格流量、並びに、給水を停止する停止流量が予め記憶される。また、記憶部３５は、給水装置１を制御するための各種プログラムが予め記憶される。
【００３１】
第１閾値Ｔ１は、停止しているポンプ装置１０の凍結を防止するために、凍結防止運転を開始する温度である。第１閾値Ｔ１は、氷点以上であって、且つ、水源の水温よりも低い温度に設定される。このため、第１閾値Ｔ１は、氷点以上であって、且つ、水源が井戸の場合には井戸水の水温よりも低い温度に設定される。
【００３２】
第２閾値Ｔ２は、凍結防止運転を終了する温度である。第２閾値Ｔ２は、第１閾値Ｔ１よりも高い温度に設定される。例えば、第２閾値Ｔ２は、第１閾値Ｔ１よりも２℃から３℃程度高い温度に設定される。
【００３３】
給水装置１の総消費電力の許容値は、給水装置１が設置される場所において定められる契約電力未満に設定される。総消費電力の許容値は、契約電力未満の値であれば、給水装置１が設置される状況やポンプ装置１０の運転状況によって適宜設定することができる。
【００３４】
また、記憶部３５は、第１温度検出手段１５ａで検出された温度からポンプ２２内の水温を推定するための第１データと、第２温度検出手段１５ｂで検出された温度からポンプ２２内の水温を推定するための第２データと、を備える。ここで、第１データ及び第２データは、例えば、各温度検出手段１５ａ、１５ｂで検出された温度とポンプ２２内の水温との関係から求められた実験値である。なお、温度検出手段１５が直接ポンプ２２内の水温を検出する場合には、第１データ及び第２データは不要である。
【００３５】
制御部３４は、図３に示すように、表示部３１、消費電力検出手段３２、複数のインバータ３３、記憶部３５、温度検出手段１５、圧力検出手段１４、及び、流量検出手段１６に電気的に接続される。
【００３６】
制御部３４は、圧力検出手段１４及び流量検出手段１６によって検出された圧力及び流量から、複数のポンプ装置１０を推定末端圧一定制御又は吐出圧力一定制御等の目標圧力一定制御として駆動可能に構成される。また、制御部３４は、複数のポンプ装置１０を単独運転、並列運転及び交互運転により制御する。
【００３７】
また、制御部３４は、第１温度検出手段１５ａで検出した温度及び第１データに基づいてポンプ２２内の水温を推定するとともに、第２温度検出手段１５ｂで検出した温度及び第２データに基づいてポンプ２２内の水温を推定する。
【００３８】
さらに制御部３４は、凍結防止運転を行う機能として、第１温度検出手段１５ａが検出した温度から推定されたポンプ２２内の水温が第１閾値Ｔ１以下である場合に、停止しているポンプ装置１０のポンプ２２を、総消費電力が許容値以下となるように駆動する。なお、凍結防止運転としてポンプ装置１０を駆動した場合には、制御部３４は、当該ポンプ装置１０を、一定の周波数で駆動するか、又は、消費電力検出手段３２で検出される総消費電力が許容値以下となる範囲で、モータ２１の周波数を可変速制御する機能を有する。
【００３９】
加えて、制御部３４は、凍結防止運転を行う機能として、第２温度検出手段１５ｂから推定したポンプ２２内の水温が第２閾値Ｔ２以上であると判断したとき、凍結防止運転のために駆動しているポンプ装置１０の運転を停止する機能を有する。
【００４０】
また、制御部３４は、例えば、第２温度検出手段１５ｂから推定したポンプ２２内の水温が第２閾値Ｔ２以上となったときに、吐出圧力及び吐出流量に基づいて目標圧力一定制御により駆動していたポンプ装置１０を停止し、凍結防止運転によって駆動したポンプ装置１０を吐出圧力及び吐出流量に基づいて目標圧力一定制御により駆動する。
【００４１】
次に、給水装置１の制御の一例を、図４に示す流れ図を用いて説明する。
【００４２】
先ず、給水装置１に電源が入れられ給水装置１に電気が供給されると、消費電力検出手段３２が起動するとともに、制御部３４は、給水装置１の総消費電力の監視を開始する（ステップＳＴ１）。加えて、制御部３４は、圧力検出手段１４で検出した圧力が起動圧力以下か否かを判断（ステップＳＴ２）し、起動圧力以下である場合（ステップＳＴ２のＹＥＳ）には、目標圧力一定制御により、ポンプ装置１０を制御する（ステップＳＴ３）。
【００４３】
次に、制御部３４は、制御盤１９に設けられている第１温度検出手段１５ａにより制御盤１９の内部空間の温度を検出する。次いで、制御部３４は、第１温度検出手段１５ａで検出した温度から、ポンプ２２内の水温を推定し（ステップＳＴ４）、推定したポンプ２２内の水温が記憶部３５に記憶されている第１閾値Ｔ１以下であるか否かを判断する（ステップＳＴ５）。
【００４４】
また、ステップＳＴ２において、圧力検出手段１４で検出した圧力が起動圧力以下でない場合（ステップＳＴ２のＮＯ）には、制御部３４は、ポンプ装置１０を駆動せずに待機状態とし、ステップＳＴ４に進む。
【００４５】
推定したポンプ２２内の水温が第１閾値Ｔ１よりも高いと判断した場合には（ステップＳＴ５においてＮＯ）、制御部３４は、ポンプ２２内の水が凍結する虞は無いと判断し、ステップＳＴ４に戻る。推定したポンプ２２内の水温が第１閾値Ｔ１よりも低いと判断した場合（ステップＳＴ５においてＹＥＳ）には、制御部３４は、停止しているポンプ装置１０があるか否かを判断する（ステップＳＴ６）。
【００４６】
制御部３４は、給水装置１の全てのポンプ装置１０が駆動している場合には（ステップＳＴ６においてＮＯ）、全てのポンプ装置１０のポンプ２２が凍結することは無いと判断し、ステップＳＴ４に戻る。停止しているポンプ装置１０がある場合（ステップＳＴ６においてＹＥＳ）、制御部３４は、停止しているポンプ装置１０が凍結する虞があると判断し、停止しているポンプ装置１０の運転する凍結防止運転を開始する（ステップＳＴ７）。
【００４７】
なお、ステップＳＴ６において、停止しているポンプ装置１０がある場合とは、ステップＳＴ３において、目標圧力一定制御でポンプ装置１０を駆動しているときであって、少なくとも１台のポンプ装置１０が停止している場合、又は、ステップＳＴ２でＮＯのときであって、全台のポンプ装置１０が待機状態で停止している場合が挙げられる。
【００４８】
次に制御部３４は、停止しているポンプ装置１０を駆動したときの総消費電力が許容値以下であるか否かを判断する（ステップＳＴ８）。総消費電力が許容値を超えている場合（ステップＳＴ８においてＮＯ）には、制御部３４は、凍結防止運転により駆動したポンプ装置１０を減台するか、インバータ３３を制御し、総消費電力が許容値の範囲内となるように駆動したモータ２１の周波数を変更するか、または、ポンプ装置１０の減台し、そしてモータ２１の周波数を変更することで、総消費電力を許容値以下に制御する（ステップＳＴ９）。
【００４９】
総消費電力が許容値以下である場合（ステップＳＴ８においてＹＥＳ）には、制御部３４は、ポンプ装置１０の駆動を継続する。なお、このとき、制御部３４は、凍結防止運転と合わせて目標圧力一定制御でポンプ装置１０を行うことから、給水先が締切られている場合には締切運転となり、給水先が締切られていない場合には、ポンプ装置１０の二次側に水が圧送される。
【００５０】
また、制御部３４は、凍結防止運転により駆動しているポンプ装置１０に設置されている第２温度検出手段１５ｂで温度を検出し、検出した温度から、凍結防止運転により駆動しているポンプ装置１０のポンプ２２内の水温を推定する（ステップＳＴ１０）。次いで、制御部３４は、凍結防止運転により駆動しているポンプ装置１０のポンプ２２内の水温が第２閾値Ｔ２以上であるか否かを判断する（ステップＳＴ１１）。
【００５１】
凍結防止運転により駆動しているポンプ２２内の水温が第２閾値Ｔ２以下である場合（ステップＳＴ１１においてＮＯ）には、制御部３４は、凍結防止運転によるポンプ装置１０の運転を継続するとともに、ステップＳＴ１０に戻る。
【００５２】
凍結防止運転により駆動しているポンプ装置１０に設置されている第２温度検出手段１５ｂで検出した温度から推定したポンプ２２内の水温が第２閾値Ｔ２以上である場合（ステップＳＴ１１においてＹＥＳ）、制御部３４は、ポンプ２２内の水が凍結する虞は無いと判断し、当該ポンプ装置１０の運転を終了する。
【００５３】
次に、制御部３４は、推定したポンプ２２内の水温が第２閾値Ｔ２未満のポンプ装置１０や、総消費電力が許容値以下とするために停止しているポンプ装置１０等の、他にポンプ２２内の水の凍結を防止するために凍結防止運転が必要なポンプ装置１０があるか否かを確認する（ステップＳＴ１２）。
【００５４】
凍結防止運転が必要なポンプ装置１０がある場合（ステップＳＴ１２においてＹＥＳ）、制御部３４は、ステップＳＴ７に戻り、対象となる停止しているポンプ装置１０を駆動する。その後、制御部３４は、ポンプ２２内の水が凍結する虞があるポンプ装置１０が無くなるまで、上記同様にステップＳＴ７からステップＳＴ１１の動作を繰り返す。
【００５５】
凍結防止運転が必要なポンプ装置１０がない場合（ステップＳＴ１２においてＮＯ）には、制御部３４は、凍結防止運転を終了し、ステップＳＴ２に戻り、目標圧力一定制御を行う。なお、目標圧力一定制御によりポンプ装置１０を駆動している場合に、流量検出手段１６で検出された流量が停止流量以下となった場合には、ポンプ装置１０は、目標圧力一定制御として、ポンプ装置１０を停止する。
【００５６】
このように構成された給水装置１は、温度検出手段１５及び消費電力検出手段３２を有する簡単な構成で、容易に複数のポンプ装置１０を有する給水装置１の凍結を防止することができる。すなわち、給水装置１は、ポンプ２２内や各種配管をヒータで加熱することを要さないことから、ヒータを設ける必要がなく、製造コスト及びランニングコストが上昇することを防止できる。
【００５７】
また、給水装置１は、総消費電力が許容値以下であれば、凍結防止運転において、停止しているポンプ装置１０を同時に駆動させることができるとともに、総消費電力が許容値を超える場合には、凍結防止運転を行うポンプ装置１０を輪番とすればよい。このため、制御部３４は、簡単な制御で凍結防止運転を行うことができる。
【００５８】
また、給水装置１は、ポンプ２２内の水の温度で比較した場合に第２閾値Ｔ２の温度が第１閾値Ｔ１の温度よりも高く設定されている。特に、第１閾値Ｔ１と第２閾値Ｔ２とを、２℃から３℃異ならせることで、凍結防止運転において各ポンプ装置１０の起動と停止とが高速で切り換わる、所謂チャタリングが発生することを極力防止できる。
【００５９】
また、給水装置１は、総消費電力が許容値を超える場合には、凍結防止運転を行うポンプ装置１０を輪番とするか、又は、運転周波数を低減させることから、総消費電力を許容値以下に保ちながら、停止している全てのポンプ装置１０を運転することができる。
【００６０】
上述したように、本発明の一実施形態に係る給水装置１によれば、消費電力が契約電力を超えることがなく、且つ、簡単な構成で凍結を防止することが可能となる。
【００６１】
なお、本発明は、上述した実施形態に限定されない。例えば、上述した例では、温度検出手段１５は、制御盤１９内に設けられる第１温度検出手段１５ａ及びポンプ２２の外面に設けられた第２温度検出手段１５ｂを備える構成を説明したがこれに限定されない。即ち、温度検出手段１５は、停止しているポンプ２２内の水の温度を直接検出可能か、又は、検出した温度から推定可能であれば適宜設定される。具体例としては、第１温度検出手段１５ａは、制御盤１９外に配置され、外気温を検出する構成であってもよい。このような構成の第１温度検出手段１５ａとする場合には、記憶部３５に記憶する第１データを外気温とポンプ２２内の水温から求めておけばよい。
【００６２】
また、温度検出手段１５は、第１温度検出手段１５ａを有さず、複数の第２温度検出手段１５ｂのみを有する構成であってもよい。このような構成の温度検出手段１５とした場合には、停止しているポンプ装置１０のポンプ２２に設けられた第２温度検出手段１５ｂで検出された温度の平均値と第２データからポンプ２２内の水温を推定し、ポンプ２２内の水温が第１閾値Ｔ１以下か否かを判断する構成とすればよい。または、このような構成の温度検出手段１５とした場合には、各ポンプ装置１０のポンプ２２に設けられた第２温度検出手段１５ｂで検出された温度のうち、最も低い温度からポンプ２２内の水温を推定し、ポンプ２２内の水温が第１閾値以下か否かを判断してもよい。また、第２温度検出手段１５ｂは、ポンプ２２に設置するのではなく、例えば、吐出管１１に設けることも可能である。
【００６３】
また、上述した例では、総消費電力を消費電力検出手段３２により検出する構成を説明したが、給水装置１の運転状態を継続している際に必要な電力であれば、例えば、皮相電力、または、電流値及び電圧値を用いる構成であってもよい。
【００６４】
また、上述した例では、給水装置１は、ステップＳＴ５において、停止しているポンプ装置１０を起動した後に総消費電力が許容値以下であるかを判断しているが、これに限定されない。例えば、予め、ポンプ装置１０一台当たりの周波数毎の凍結防止運転時の消費電力を求め、記憶部３５に記憶させておき、制御部３４がポンプ装置１０の停止している台数から凍結防止運転時の消費電力を予測し、総消費電力が許容値以下となるポンプ装置１０の台数又は周波数を決定する構成であってもよい。
【００６５】
また、給水装置１は、目標圧力一定運転を行っているポンプ装置１０がある場合に凍結防止運転を行う場合には、交互運転によって凍結防止運転と目標圧力一定運転を行う構成であってもよい。具体例を説明すると、給水装置１は、目標圧力一定運転を行っているポンプ装置１０がある場合に凍結防止運転を行う場合に、まず、駆動しているポンプ装置１０を停止し、且つ、停止しているポンプ装置１０を目標圧力一定運転とし、次に、駆動したポンプ装置１０のポンプ２２内の水温が第２閾値Ｔ２以上となった場合に、駆動しているポンプ装置１０を停止し、次いで、まだ駆動していないポンプ装置１０を駆動する。このように、給水装置１は、交互運転、換言すると、駆動するポンプ装置１０を輪番とすることで、目標圧力一定運転及び凍結防止運転を行ってもよい。
【００６６】
即ち、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００６７】
１…給水装置、１０…ポンプ装置、１１…吐出管、１２…合流管、１３…蓄圧装置、１４…圧力検出手段、１５，１５ａ，１５ｂ…温度検出手段、１６…流量検出手段、１７…ベース、１８…フレーム、１９…制御盤、２１…モータ、２２…ポンプ、３１…表示部、３２…消費電力検出手段、３３…インバータ、３４…制御部、３５…記憶部。
【図１】
2020008000.tif 000003
【図２】
2020008000.tif 000004
【図３】
2020008000.tif 000005
【図４】
2020008000.tif 000006